(57)【要約】【課題】受信可能は放送局を自動的に設定できるようにする。【解決手段】チューナＡで受信中の放送局の信号の信号品質が一定値未満となると、ＭＰＵ２３は、チューナＢのＲＦ部１５の受信周波数を切り替え、ＯＦＤＭ復調部１６から受信中の信号品質データであるＣＮＲを取得し、受信可能な放送局をサーチする。サーチした放送局のチャンネルリストをメモリ２０に格納し、そのチャンネルリストに従ってチューナＡの受信を行う。【選択図】      図１
2009188492.tif 000002
【特許請求の範囲】
【請求項１】
デジタルテレビ放送を受信する移動体デジタル放送受信チューナであって、
第１のアンテナと第２のアンテナの受信信号を選択するスイッチ回路と、
前記スイッチ回路で選択された前記第１及び前記第２のアンテナの受信信号の一方が入力される第１の無線受信回路と、
前記スイッチ回路で選択された前記第１及び第２のアンテナの受信信号の他方が入力される第２の無線受信回路と、
前記第２の無線受信回路により受信信号品質が一定値以上の放送局をサーチし、受信信号品質が一定値以上の放送局を、前記第１の無線受信回路で受信する放送局として設定する制御回路とを備える移動体デジタル放送受信チューナ。
【請求項２】
前記第２の無線受信回路は、選択された放送局の放送信号を受信する無線受信部と、ＯＦＤＭ信号の復調を行うＯＦＤＭ復調部とからなる請求項１記載の移動体デジタル放送受信チューナ。
【請求項３】
前記第２の無線受信回路は、選択された放送局の放送信号を受信する無線受信部と、受信信号強度を検出するＲＳＳＩ回路と、前記ＲＳＳＩ回路の出力信号をデジタル値に変換するＡ／Ｄコンバータとからなる請求項１記載の移動体デジタル放送受信チューナ。
【請求項４】
前記制御回路は、移動により受信エリアが変化して前記第１の無線受信回路で受信中の放送局の受信信号品質が一定値未満になったことを検出すると、前記第２の無線受信回路により受信信号品質が一定値以上の放送局をサーチする請求項１、２または３記載の移動体デジタル放送受信チューナ。
【発明の詳細な説明】
【技術分野】
【０００１】
本発明は、デジタルテレビ放送を受信する移動体デジタル放送受信チューナに関する。
【背景技術】
【０００２】
特許文献１には、複数のアンテナの受信信号を分配する第１及び第２の分配器と、第１及び第２の分配器の出力を選択して第１及び第２の受信機に供給する第１及び第２のスイッチを有することで、第１及び第２の受信機で異なった周波数の信号を受信する場合に、それぞれ最適なダイバーシチ受信を実現させることが記載されている。
【０００３】
特許文献２には、周波数の異なるデジタル放送信号を受信するＮ系列の受信部を有する移動体用放送受信装置において、Ｎ系列の受信部の出力信号の時間的位置関係を同一位置に調整し、同一位置に調整されたＮ系列の出力信号から信号品質の良い１つの出力信号を選択することが記載されている。
【０００４】
ところで、車載用のデジタル放送受信チューナは、車が移動することで受信エリアが変化するので、ユーザが移動先のエリアで受信可能な放送局をサーチして、放送局を再設定するか、予め各地域の受信可能な放送局のリストを作成しておいて、ユーザが地域を指定することで、その地域で受信可能な放送局に自動的に切り替える必要がある。
【０００５】
しかしながら、受信可能な放送局をユーザがサーチする方法は、操作が面倒であるばかりでなく、その間、デジタルテレビ放送を視聴できないという不都合がある。また、放送局のリストを予め用意しておく方法は、ユーザが受信地域を指定しなければならないので操作が面倒である。
【特許文献１】特開平３−２９３８２２号公報
【特許文献２】特開２００６−６７４０２号公報
【発明の開示】
【発明が解決しようとする課題】
【０００６】
本発明の課題は、受信可能な放送局を自動的に設定できるようにすることである。
【課題を解決するための手段】
【０００７】
本発明の移動体デジタル放送受信チューナは、デジタルテレビ放送を受信するチューナであって、第１のアンテナと第２のアンテナの受信信号を選択するスイッチ回路と、前記スイッチ回路で選択された第１及び第２のアンテナの受信信号の一方が入力される第１の無線受信回路と、前記スイッチ回路で選択された前記第１及び第２のアンテナの受信信号の他方が入力される第２の無線受信回路と、前記第２の無線受信回路により受信信号品質が一定値以上の放送局をサーチし、受信信号品質が一定値以上の放送局を、前記第１の無線受信回路で受信する放送局として設定する制御回路とを備える。
【０００８】
この発明によれば、第１の無線受信回路でデジタルテレビ放送の信号を受信しながら、第２の無線受信回路で受信信号品質が一定値以上の放送局をサーチし、サーチした放送局を第１の無線受信回路で受信する放送局として設定することができる。これにより、移動先の地域で受信可能な放送局を自動的に設定することができる。
【０００９】
上記の発明の移動体デジタル放送受信チューナにおいて、前記第２の無線受信回路は、選択された放送局の放送信号を受信する無線受信部と、ＯＦＤＭ信号の復調を行うＯＦＤＭ復調部とからなる。
【００１０】
このように構成することで、無線受信部とＯＦＤＭ復調部により受信可能な放送局をサーチすることができるので、第２の無線受信回路の回路構成を簡素にできる。
上記の発明の移動体デジタル放送受信チューナにおいて、前記第２の無線受信回路は、選択された放送局の放送信号を受信する無線受信部と、受信信号強度を検出するＲＳＳＩ回路と、前記ＲＳＳＩ回路の出力信号をデジタル値に変換するＡ／Ｄコンバータとからなる。
【００１１】
このように構成することで、第２の無線受信回路の構成を簡素にできる。
【発明の効果】
【００１２】
本発明によれば、移動した地域で受信可能な放送局を自動的に設定することができる。
【発明を実施するための最良の形態】
【００１３】
以下、本発明の好適な実施の形態について説明する。図１は、第１実施形態の移動体デジタル放送受信チューナ１１の回路図である。この移動体デジタル放送受信チューナ１１は、例えば、車載用のチューナであり、２つのアンテナを切り替えてダイバイーシチ受信を行う。
【００１４】
図１において、２つのアンテナ端子には、図示しない２個のアンテナ１及びアンテナ２で受信されるデジタルテレビ放送の信号が入力する。ＲＦスイッチ１２は、２個のスイッチＳＷ１とＳＷ２からなり、スイッチＳＷ１とＳＷ２を切り替えることでアンテナ１とアンテナ２の信号の一方をＲＦ部１３に出力し、他方の信号をＲＦ部１５に出力する。
【００１５】
ＲＦ部１３及び１５は、ＲＦスイッチ１２により選択されたアンテナ１とアンテナ２の受信信号の周波数を選択することで希望波の信号を取り出す。
ＯＦＤＭ（Orthogonal Frequency Division Multiplexing）復調部１４及び１６は、ＯＦＤＭ信号に対して復調及び誤り訂正処理等を実行して、ＴＳ（Transport Stream） パケットをメディアプロセッサ１７とＭＰＵ２３に出力する。ＲＦ部１３とＯＦＤＭ復調部１４はチューナＡ（第１の無線受信回路に対応する）を構成し、ＲＦ部１５とＯＦＤＭ復調部１６はチューナＢ（第２の無線受信回路に対応する）を構成する。
【００１６】
メディアプロセッサ１７は、Ｈ．２６４及びＡＡＣ（Advanced Audio Coding）により圧縮されたＴＳパケットを、映像データと音声データと付加データに分離して、それぞれビデオエンコーダ１８とＤ／Ａコンバータ１９とメモリ２０に出力する。
【００１７】
ビデオエンコーダ１８は、映像データをデコードしてアナログの映像信号をビデオ出力端子２１に出力する。Ｄ／Ａコンバータ１９は、音声データをＤ／Ａ変換してアナログの音声信号を音声出力端子２２に出力する。
【００１８】
ＭＰＵ２３は、メディアプロセッサ１７からチューナＡで受信している放送信号の受信信号品質を示すデータ（この場合はＣＮＲ（Carrier to Noise Ratio））を取得し、ＣＮＲが一定値未満のとき、別のチューナＢの受信周波数を順に切り替えてＣＮＲが一定値以上の放送局をサーチする。そして、サーチした放送局名をメモリ２０に設定する。これにより、車で移動中に、受信エリアが変化しＣＮＲが低下した場合でも、受信可能な放送局を自動的にサーチし、それらの放送局を受信可能な放送局としてプリセットすることができる。
【００１９】
次に、以上のような構成の移動体デジタル放送受信チューナ１１の動作を、図２（Ａ）、（Ｂ）のフローチャートを参照して説明する。
電源がオンされると（図２（Ａ）、Ｓ１１）、ＭＰＵ２３は、アンテナＡＮＴ１の信号がチューナＡに出力されるようにＲＦスイッチ１２を設定する。そして、メディアプロセッサ１７から受信中の放送信号の感度データを取得し、受信感度が良いか（一定値以上か）、悪いか（一定値未満か）を判定する（Ｓ１３）。
【００２０】
アンテナＡＮＴ１の受信感度が良いときには（Ｓ１３、良い）、アンテナＡＮＴ１で受信を続ける。
アンテナＡＮＴ１の受信感度が悪いときには（Ｓ１３、悪い）、ステップ１４に進み、ＲＦスイッチ１２を切り替え、アンテナＡＮＴ２の受信信号をチューナＡに入力させる。そして、アンテナＡＮＴ２の受信感度が良いか、悪いかを判定する（Ｓ１５）。アンテナＡＮＴ２の受信感度が良いときには（Ｓ１５、良い）、そのままの状態で受信を続ける。
アンテナＡＮＴ２の受信感度が悪いときには（Ｓ１５、悪い）、ステップＳ１２に戻り上述した処理を繰り返す。
【００２１】
次に、受信可能な放送局を自動的に設定する場合の動作を、図２（Ｂ）を参照して説明する。
２個のアンテナＡＮＴ１、ＡＮＴ２を利用して放送信号を受信するダイバーシチ受信時に（図２（Ｂ）、Ｓ２１）、メディアプロセッサ１７からチューナＡで受信中の放送信号の信号品質を示すデータＣＮＲを取得して、チューナＡで受信中の信号が良いか（一定値以上か）、悪いか（一定値未満か）を判定する（Ｓ２２）。
【００２２】
受信中の信号のＣＮＲが良い場合には（Ｓ２２、良い）、そのまま受信を続ける。受信中の信号のＣＮＲが悪い場合には（Ｓ２２、悪い）、ステップ２３に進み、メディアプロセッサ１７に設定されている地域設定情報（現在位置情報）を読み込む。
【００２３】
ユーザは移動体デジタル放送受信チューナ１１で受信可能な放送局をプリセットするために、受信地域を設定する操作を予め行っており、この操作で設定された地域指定情報は、例えば、メディアプロセッサ１７のフラッシュメモリ（図示せず）に記憶される。また、メモリ２０には、全国の各地域で受信可能な放送局の周波数がチャンネルリストとして記憶されているので、地域指定情報により現在位置が分かれば、その周辺地域で受信可能な放送局の周波数をメモリ２０から取得することができる。
【００２４】
チャンネルをサーチするために、現在位置の周辺地域の放送局のチャンネルリストを取得する（Ｓ２４）。
次に、チューナＢに取得した放送局の周波数を設定する（Ｓ２５）。このステップＳ２５の処理では、周波数を順に切り替えて放送局をサーチしても良い。そして、チューナＢで受信される信号のＣＮＲが良いか（一定値以上か）、悪いかを判定する（Ｓ２６）。ＣＮＲが悪い場合には、ステップ２４に戻り、次の放送局の周波数を取得して、上記の処理を繰り返す。
【００２５】
チューナＢで受信した信号のＣＮＲが一定値以上のときには（Ｓ２６、良い）、ステップ２７に進み、チューナＡのチャンネルリストにその放送局を登録する。
上記の処理を他の放送局についても行い、ＣＮＲが一定値以上の放送局をチャンネルリストに登録する。これらの処理により、現在位置で受信可能な放送局のチャンネルリストを自動的に作成し、そのチャンネルリストに従ってチューナＡで受信する放送局を決める。
【００２６】
上述した第１の実施の形態によれば、移動したことで受信中の放送局の受信信号品質が低下した場合でも、別のチューナＢで現在位置で受信可能な放送局をサーチし、受信可能な放送局のチャンネルリストを自動的に作成することができる。これにより、車等で移動することで受信エリアが変化する場合でも、チューナＡに常に受信可能な放送局を設定することができる。
【００２７】
さらに、受信可能な放送局をサーチするためのチューナＢは、ＲＦ部１５とＯＦＤＭ復調部１６の２つの回路で構成することができるので、放送局をサーチするための回路の構成が簡単になり、コストも安くなる。
【００２８】
また、メモリ等に各地域の放送局の系列を示す放送局情報を予め記憶しておき、あるいは放送信号から放送局情報を取得し、現在受信中の放送局の受信信号品質が低下したとき、受信中の放送局と同じ系列の受信可能な別の放送局に自動的に切り替えることもできる。これにより、視聴中のテレビ番組を継続して視聴することができる。
【００２９】
次に、図３は、第２実施形態の移動体デジタル放送受信チューナ３１の回路図である。以下、図１の回路と同じ回路ブロックには、同じ符号を付けてそれらの説明は省略する。
ＲＳＳＩ回路３２は、ＲＦ部１５から出力される受信信号の受信信号強度を検出して、検出結果のＲＳＳＩ信号をＡ／Ｄコンバータ３３に出力する。Ａ／Ｄコンバータ３３は、ＲＳＳＩ信号をデジタルデータに変換してＭＰＵ２３に出力する。
【００３０】
ＭＰＵ２３は、Ａ／Ｄコンバータ３３から出力されるデジタルデータ（ＲＳＳＩ信号のデジタル値）が基準値以上か否かにより、ＲＦ部１５で受信している放送局が受信可能か否かを判定する。受信可能な場合には、その放送局をメモリ２０のチャンネルリストに登録する。ＭＰＵ２３は、ＲＦ部１５に次の放送局の受信を指示し上記と同様の動作を行う。
【００３１】
この結果、現在位置で受信可能な複数の放送局を示すチャンネルリストが自動的に作成されメモリ２０に記憶される。従って、ＭＰＵ２３は、そのチャンネルリストに従って、メインのチューナ（ＲＦ部１３、ＯＦＤＭ復調部１４からなる）で受信する放送局を決めることができる。
【００３２】
上述した第２の実施の形態によれば、移動したことで受信中の放送局の受信レベルが低下した場合でも、ＲＦ部１５とＲＳＳＩ回路３２等からならチューナで現在位置で受信可能な放送局をサーチし、メインのチューナ（ＲＦ部１３とＯＦＤＭ部１４からなる）にサーチした放送局を自働的に設定することができる。これにより、ユーザが移動先の地域の放送局を手動で設定しなくとも、受信可能な放送局を自動的に設定することができる。
【００３３】
さらに、放送局をサーチするためのチューナは、ＲＦ部１５とＲＳＳＩ回路３２とＡ／Ｄコンバータ３３で構成することができるので回路構成が簡素で、かつコストも安くなる。
【図面の簡単な説明】
【００３４】
【図１】第１実施形態の移動体デジタル放送受信チューナの回路図である。
【図２】第１実施形態の移動体デジタル放送受信チューナの動作を示すフローチャートである。
【図３】第２実施形態の移動体デジタル放送受信チューナの回路図である。
【符号の説明】
【００３５】
１１、３１    移動体デジタル放送受信チューナ
１２          ＲＦスイッチ
１３、１５    ＲＦ部
１４、１６    ＯＦＤＭ復調部
１７          メディアプロセッサ
２０          メモリ
２３          ＭＰＵ
３２          ＲＳＳＩ回路
３３          Ａ／Ｄコンバータ
【図１】
2009188492.tif 000003
【図２】
2009188492.tif 000004
【図３】
2009188492.tif 000005